(57)【要約】【課題】構造が簡単で安全であり、ユーザが挟まれて怪我する可能性は全くなく、且つユーザが運動傷害になる可能性はないローラ持ち足踏み式健康器を提供する。【解決手段】内部に減衰値を調整可能な減衰装置が設けてあり、且つ減衰装置と連結するクランクシャフトが貫入してあり、クランクシャフトの両端がそれぞれその左右側面から突出する装置台座と、それぞれクランクシャフトの両端に固定される二つのクランクと、後側端がクランクの自由端に枢着され、前側端の底部にローラが設けてある二つの踏み板と、装置台座の前端に固定され、ローラがその上で移動可能である底板とを含むことを特徴とする。【選択図】図１
0003135106.tif 000002
【実用新案登録請求の範囲】
【請求項１】
内部に減衰値を調整可能な減衰装置が設けてあり、且つ前記減衰装置と連結するクランクシャフトが貫入してあり、前記クランクシャフトの両端がそれぞれその左右側面から突出する装置台座と、それぞれ前記クランクシャフトの両端に固定される二つのクランクと、後側端が前記クランクの自由端に枢着され、前側端の底部にローラが設けてある二つの踏み板と、前記装置台座の前端に固定され、前記ローラがその上で移動可能である底板とを含むことを特徴とする、ローラ持ち足踏み式健康器。
【請求項２】
前記底板に起立柱を設けてもいいことを特徴とする、請求項１に記載のローラ持ち足踏み式健康器。
【請求項３】
前記踏み板の前端には、搖動ハンドルを設けてもいいし、引きロープを連結してもいいことを特徴とする、請求項１に記載のローラ持ち足踏み式健康器。
【考案の詳細な説明】
【技術分野】
【０００１】
本考案は、ローラ持ち足踏み式健康器に係り、特に、構造がもっと簡単で流線型になり、運動過程がもっと安全で、ストロークがより小さいローラ持ち足踏み式健康器に関するものである。
【背景技術】
【０００２】
目下、市販している健康器の種類は色々あり、そして楕円運動の健康器がもっとも消費者に愛用され、その原因は、楕円運動方式が人間工学に合い、且つ運動が過激しなく、手足および身体を同時に搖動することができ、運動効果が著しいことにある。
【考案の開示】
【考案が解決しようとする課題】
【０００３】
しかしながら、これは次のような欠点があった。（イ）従来の楕円運動健康器は、構造が複雑であり、部品点数が極めて多く、且つ部品が外部に露呈するので、運動過程中にユーザの身体が部品に侵入すると、挟まれて怪我する危険性が高い。
【０００４】
（ロ）従来の楕円運動健康器は、運動の幅が大きすぎであり、人体の常時の搖動幅よりも大きいので、油断すると運動傷害になる可能性が高い。
【課題を解決するための手段】
【０００５】
上記欠点を解決するためになされた本考案は、内部に減衰値を調整可能な減衰装置が設けてあり、且つ前記減衰装置と連結するクランクシャフトが貫入してあり、前記クランクシャフトの両端がそれぞれその左右側面から突出する装置台座と、それぞれ前記クランクシャフトの両端に固定される二つのクランクと、後側端が前記クランクの自由端に枢着され、前側端の底部にローラが設けてある二つの踏み板と、前記装置台座の前端に固定され、前記ローラがその上で移動可能である底板とを含むことを特徴とする、ローラ持ち足踏み式健康器であることを要旨としている。
【０００６】
本考案では、前記底板に起立柱を設けてもいいことを特徴とする、請求項１に記載のローラ持ち足踏み式健康器であることを要旨としている。
【０００７】
本考案では、前記踏み板の前端には、搖動ハンドルを設けてもいいし、引きロープを連結してもいいことを特徴とする、請求項１に記載のローラ持ち足踏み式健康器であることを要旨としている。
【考案の効果】
【０００８】
本考案のローラ持ち足踏み式健康器によれば、次のような効果がある。（イ）本考案のローラ持ち足踏み式健康器は、外部に露呈する部材はクランクと踏み板とだけであるので、構造が簡単で安全であり、ユーザが挟まれて怪我する可能性は全くない。
【０００９】
（ロ）本考案のローラ持ち足踏み式健康器は、従来のものよりも運動の幅が適当であるので、ユーザが運動傷害になる可能性はない。
【考案を実施するための最良の形態】
【００１０】
以下、添付図面を参照して本考案の好適な実施の形態を詳細に説明する。
【００１１】
まず、図１と図２を参照する。図１は本考案の実施例１の分解斜視図であり、図２は本考案の実施例１の組合状態の斜視図である。
【００１２】
本考案の実施例１のローラ持ち足踏み式健康器は、一つの装置台座１０と、二つのクランク２０と、二つの踏み板３０と、一つの底板６０とを含む。
【００１３】
前記装置台座１０は、内部に減衰値を調整可能な減衰装置１１が設けてあり、且つ前記減衰装置１１と連結するクランクシャフト１２が貫入してあり、前記クランクシャフト１２の両端がそれぞれ前記装置台座１０の左右側面から突出する。
【００１４】
前記クランク２０，２１は、それぞれ前記クランクシャフト１２の両端に固定される。
【００１５】
前記踏み板３０，４０は、足指に接近する箇所を前側端３２，４２とし、踵に接近する箇所を後側端３１，４１とし、その後側端３１，４１が前記クランク２０，２１の自由端２０１，２１１に枢着され、その前側端３２，４２の底部にローラ５０，５１がそれぞれ設けてある。
【００１６】
前記底板６０は、前記装置台座１０の前端に固定され、前記ローラ５０，５１がその上で移動可能である。
【００１７】
また、図３参照する。図３に示すのは本考案の実施例２のローラ持ち足踏み式健康器であって、底板６０には起立柱７０が設けてあり、前記起立柱７０にハンドル７１が設けてあり、前記ハンドル７１により、前記踏み板３０，４０を踏んで運動しているときに、動作の安定性が良くなる。
【００１８】
また、図４参照する。図４に示すのは本考案の実施例３のローラ持ち足踏み式健康器であって、前記踏み板３０，４０の前端には引きロープ８０，８１が連結してあり、だから、ユーザは、前記踏み板３０，４０を足で踏みながら、手で前記引きロープ８０，８１を引くことができ、手部と足部とを同時に運動することができる。
【００１９】
また、図５参照する。図５に示すのは本考案の実施例４のローラ持ち足踏み式健康器であって、前記踏み板３０，４０の前端には搖動ハンドル９０，９１が設けてあり、そうすると、前記踏み板３０，４０を足で踏んでいるときに、前記搖動ハンドル９０，９１も搖動するようになり、ひいては前記搖動ハンドル９０，９１を握っている手も運動され、だから、手部と足部とを同時に運動することができる。
【００２０】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２１】
【図１】本考案の実施例１の分解斜視図である。
【図２】本考案の実施例１の組合状態の斜視図である。
【図３】本考案の実施例２の組合状態の斜視図である。
【図４】本考案の実施例３の組合状態の斜視図である。
【図５】本考案の実施例４の組合状態の斜視図である。
【符号の説明】
【００２２】
１０      装置台座
１１      減衰装置
１２      クランクシャフト
２０      クランク
２０１    自由端
２１      クランク
２１１    自由端
３０      踏み板
３１      後側端
３２      前側端
４０      踏み板
４１      後側端
４２      前側端
５０      滑車輪
５１      滑車輪
６０      底板
７０      起立柱
７１      ハンドル
８０      引きロープ
８１      引きロープ
９０      揺動ハンドル
９１      揺動ハンドル
【図１】
0003135106.tif 000003
【図２】
0003135106.tif 000004
【図３】
0003135106.tif 000005
【図４】
0003135106.tif 000006
【図５】
0003135106.tif 000007
【手続補正書】
【提出日】平成19年6月28日(2007.6.28)
【手続補正１】
【補正対象書類名】実用新案登録請求の範囲
【補正対象項目名】請求項２
【補正方法】変更
【補正の内容】
【請求項２】
前記底板に起立柱を設けることを特徴とする、請求項１に記載のローラ持ち足踏み式健康器。
【手続補正２】
【補正対象書類名】実用新案登録請求の範囲
【補正対象項目名】請求項３
【補正方法】変更
【補正の内容】
【請求項３】
前記踏み板の前端には、搖動ハンドルを設け、引きロープを連結することを特徴とする、請求項１に記載のローラ持ち足踏み式健康器。